(57)【特許請求の範囲】
【請求項１】
筒状の胴部を有し、当該胴部の頂部が、向かい合う一対の妻壁形成壁を内側に折り畳み、向かい合う他方の一対の切妻屋根形成壁を重ね合わせて切妻屋根型に形成された紙容器において、
前記妻壁形成壁に外側からハーフカットにより剥離可能な剥離片を形成し、
前記剥離片は、所定の深さの切り込みを有する実線の剥離開始辺と、所定の深さの切り込みを有するミシン目状のその他の辺とで構成され、
前記妻壁形成壁は、下端辺両隅部のそれぞれと上端辺とを結ぶように設けられる折込線が谷折りされることにより内側に折り畳まれ、三角形で構成される底面部と、直角三角形で構成される左上面部及び右上面部と、を有し、
前記剥離片は、前記左上面部又は前記右上面部に配置されていることを特徴とする紙容器。  
【請求項２】
筒状の胴部を有し、当該胴部の頂部が、向かい合う一対の妻壁形成壁を内側に折り畳み、向かい合う他方の一対の切妻屋根形成壁を重ね合わせて切妻屋根型に形成された紙容器において、
前記妻壁形成壁に外側からハーフカットにより剥離可能な剥離片を形成し、
前記剥離片は、所定の深さの切り込みを有する実線の剥離開始辺と、所定の深さの切り込みを有するミシン目状のその他の辺とで構成され、
前記妻壁形成壁は、下端辺両隅部のそれぞれと上端辺とを結ぶように設けられる折込線が谷折りされることにより内側に折り畳まれて形成され、
前記剥離開始辺は、前記折込線の近傍、又は前記折込線の線上に配置されていることを特徴とする紙容器。
【請求項３】
筒状の胴部を有し、当該胴部の頂部が、向かい合う一対の妻壁形成壁を内側に折り畳み、向かい合う他方の一対の切妻屋根形成壁を重ね合わせて切妻屋根型に形成された紙容器において、
前記妻壁形成壁に外側からハーフカットにより剥離可能な剥離片を形成し、
前記剥離片は、所定の深さの切り込みを有する実線の剥離開始辺と、所定の深さの切り込みを有するミシン目状のその他の辺とで構成され、
前記妻壁形成壁は、下端辺両隅部のそれぞれと上端辺とを結ぶように設けられる折込線が谷折りされることにより内側に折り畳まれ、三角形で構成される底面部と、直角三角形で構成される左上面部及び右上面部と、を有し、
前記剥離片は、前記底面部に配置されているとともに、前記剥離開始辺が、上端辺側に配置されることを特徴とする紙容器。
【請求項４】
前記剥離片は、前記剥離開始辺と前記その他の辺とで囲まれていることを特徴とする請求項１〜３のいずれか一項に記載の紙容器。
【発明の詳細な説明】
【技術分野】
【０００１】
本発明は、紙製の容器に関し、特に、剥離片付き紙容器に関する。
【背景技術】
【０００２】
従来からゲーベルトップ型の紙容器の頂部表面に剥離片を設けた紙容器が知られている（例えば、特許文献１参照）。このような紙容器では、剥離片が応募券として用いられる。また、特許文献１に開示された紙容器は、剥離片の剥離終了側に剥離方向の広幅の切り込みが設けられており、当該カット部をきれいに剥離することが可能になっている。
【先行技術文献】
【特許文献】
【０００３】
【特許文献１】実公平３−２７９５３号公報
【発明の概要】
【発明が解決しようとする課題】
【０００４】
特許文献１に示される紙容器の剥離片は、容器本体の表面に露出して形成されているため、外部と接触し易く、例えば、紙容器へ内容物を充填する工程や充填後の製品流通工程において、外部との接触により擦れて剥離片が剥がれる可能性があるとともに、紙容器が店頭等に陳列された際にいたずら等により当該剥離片が剥離される可能性がある。
【０００５】
そこで、本発明は、このような問題等に鑑みてなされたものであり、剥離片が外部から接触しにくく、いたずら又は外部からの接触等による剥離片の剥離を防止することができる剥離片付きの紙容器を提供することを目的とする。
【課題を解決するための手段】
【０００６】
本発明者等は上記課題を解決するため、次のような構成を採用する。
【０００７】
なお、図面の参照符号を括弧付きで付するが、本発明はこれに限定されるものではない。
【０００８】
すなわち、請求項１に係る発明は、筒状の胴部（２）を有し、当該胴部の頂部が、向かい合う一対の妻壁形成壁（２６ａ、２８ａ）を内側に折り畳み、向かい合う他方の一対の切妻屋根形成壁（２７ａ、２９ａ）を重ね合わせて切妻屋根型に形成された紙容器において、前記妻壁形成壁に外側からハーフカットにより剥離可能な剥離片（３５）を形成し、
前記剥離片は、所定の深さの切り込みを有する実線の剥離開始辺（３５ａ）と、所定の深さの切り込みを有するミシン目状のその他の辺とで構成され、前記妻壁形成壁は、下端辺両隅部のそれぞれと上端辺とを結ぶように設けられる折込線が谷折りされることにより内側に折り畳まれ、三角形で構成される底面部（７０）と、直角三角形で構成される左上面部（７１）及び右上面部（７２）と、を有し、前記剥離片は、前記左上面部又は前記右上面部に配置されていることを特徴とする。
また、請求項２に係る発明は、筒状の胴部を有し、当該胴部の頂部が、向かい合う一対の妻壁形成壁を内側に折り畳み、向かい合う他方の一対の切妻屋根形成壁を重ね合わせて切妻屋根型に形成された紙容器において、前記妻壁形成壁に外側からハーフカットにより剥離可能な剥離片を形成し、前記剥離片は、所定の深さの切り込みを有する実線の剥離開始辺と、所定の深さの切り込みを有するミシン目状のその他の辺とで構成され、前記妻壁形成壁は、下端辺両隅部のそれぞれと上端辺とを結ぶように設けられる折込線（Ｌ４１、Ｌ４２）が谷折りされることにより内側に折り畳まれて形成され、前記剥離開始辺は、前記折込線の近傍、又は前記折込線の線上に配置されていることを特徴とする。  
また、請求項３に係る発明は、筒状の胴部を有し、当該胴部の頂部が、向かい合う一対の妻壁形成壁を内側に折り畳み、向かい合う他方の一対の切妻屋根形成壁を重ね合わせて切妻屋根型に形成された紙容器において、前記妻壁形成壁に外側からハーフカットにより剥離可能な剥離片を形成し、前記剥離片は、所定の深さの切り込みを有する実線の剥離開始辺と、所定の深さの切り込みを有するミシン目状のその他の辺とで構成され、前記妻壁形成壁は、下端辺両隅部のそれぞれと上端辺とを結ぶように設けられる折込線が谷折りされることにより内側に折り畳まれ、三角形で構成される底面部と、直角三角形で構成される左上面部及び右上面部と、を有し、前記剥離片は、前記底面部に配置されているとともに、前記剥離開始辺が、上端辺側に配置されることを特徴とする。  
また、請求項４に係る発明は、請求項１〜３のいずれか一項に記載の紙容器において、前記剥離片は、前記剥離開始辺と前記その他の辺とで囲まれていることを特徴とする。
【発明の効果】
【００１１】
本発明によれば、剥離片が外部から接触しにくく、いたずら又は外部からの接触等による剥離片の剥離を防止することができる。
【図面の簡単な説明】
【００１２】
【図１】本発明の容器の外観を示す斜視図である。
【図２】容器の展開図である。
【図３】容器を構成するシートの断面図である。
【図４】第１の実施形態における剥離片の取付例を示し、図４（ａ）は本実施形態の剥離片の取付実施例１を示す図２のＡ部分拡大図、図４（ｂ）は剥離片の他の取付実施例２を示す図２のＡ部分拡大図、図４（ｃ）は剥離片の他の取付実施例３を示す図２のＡ部分拡大図、図４（ｄ）は剥離片の他の取付実施例４を示す図２のＡ部分拡大図である。
【図５】第２の実施形態における剥離片の取付例を示し、図５（ａ）は本実施形態の剥離片の取付実施例１を示す図２のＡ部分拡大図、図５（ｂ）は剥離片の他の取付実施例２を示す図２のＡ部分拡大図、図５（ｃ）は剥離片の他の取付実施例３を示す図２のＡ部分拡大図である。
【図６】第３の実施形態における剥離片の取付例を示し、図６（ａ）は本実施形態の剥離片の取付実施例１を示す図２のＡ部分拡大図、図６（ｂ）は剥離片の他の取付実施例２を示す図２のＡ部分拡大図、図６（ｃ）は剥離片の他の取付実施例３を示す図２のＡ部分拡大図、図６（ｄ）は剥離片の他の取付実施例４を示す図２のＡ部分拡大図、図６（ｅ）は剥離片の他の取付実施例５を示す図２のＡ部分拡大図、図６（ｆ）は剥離片の他の取付実施例６を示す図２のＡ部分拡大図、図６（ｇ）は剥離片の他の取付実施例７を示す図２のＡ部分拡大図、図６（ｈ）は剥離片の他の取付実施例８を示す図２のＡ部分拡大図である。
【発明を実施するための最良の形態】
【００１３】
以下に本発明を実施するための第１〜第３の実施の形態について説明する。
【００１４】
―第１の実施の形態−
本実施形態の容器１０は、紙を主体とするシートによって作られ、図１に示すように、四角筒形の胴部２を有する。図１及び図２に示すように、胴部２の下端は４枚の下端壁３８、３９によって閉じられ、上端は向かい合う一対の妻壁形成壁２６ａ、２８ａを内側に折畳み、向かい合う他方の一対の切妻屋根形成壁２７ａ、２９ａの上端部をシールして頂部が切妻屋根型（ゲーベルトップ型）に形成される。この容器１０の開封は、切妻屋根形成壁２７ａ、２９ａの一端側を折込線Ｌ４５に沿ってそれぞれ外側に開いてシールを剥がし、妻壁形成壁２８ａを外側に折り返すことにより行われる。
【００１５】
妻壁形成壁２６ａ、２８ａは、図２に示すように、二等辺三角形で構成される底面部７０と、直角三角形で構成される左右上面部７１、７２と、を有している。
【００１６】
そして、一方の妻壁形成壁２８ａの底面部７０には、図１に示すように、剥離可能に形成された矩形状の剥離片３５を有している。この剥離片３５は販売広告用の応募券やクーポン券として機能し、ユーザーによって剥離される。
【００１７】
剥離片３５は、密封状態において、妻壁形成壁２８ａが内側に折り畳まれているために接触しにくい位置に配置される。よって、店頭などに容器を陳列した際の顧客による剥離片３５の剥離（いたずら）や容器搬送時等において外部との接触による剥離片３５の剥離を防止することが可能である。
【００１８】
この容器２は、具体的には、図２に示すような展開カートン２０を組み立てることにより形成される。展開カートン２０は、紙を主体とするシート２１を打ち抜くことにより形成される。シート２１は、図３に示すように、紙層２５、表面層２２、裏面層２４が積層された構造となっている。また、シート２１の表面には、所望の内容が印刷される。
【００１９】
シート２１において、紙層２５は主強度材であり、具体的には、ミルク原紙、及び純白ロール紙、クラフト紙、板紙、コート紙、加工紙等の各種紙材を用いることができる。なお、紙層２５はこれらの紙材を複数積層したものであっても良い。
【００２０】
また、紙層２５に用いる紙材の坪量や厚みは特に限定しないが、坪量は主に８０〜６００ｇ／ｍ2であり、特に１００〜４５０ｇ／ｍ2のものを用いることが好ましく、厚みは主に１１０〜８６０μｍであり、特に１４０〜６４０μｍのものを用いることが好ましい。
【００２１】
一方、表面層２２、裏面層２４は、具体的には、ポリエチレン（ＰＥ）やポリプロピレン（ＰＰ）等のポリオレフィン系樹脂を用いることができ、ＰＥには高密度ポリエチレン（ＨＤＰＥ）、中密度ポリエチレン（ＭＤＰＥ）、低密度ポリエチレン（ＬＤＰＥ）、線状低密度ポリエチレン（ＬＬＤＰＥ）等を用いることができる。
【００２２】
また、表面層２２、裏面層２４は、ポリオレフィン系樹脂、ポリアミド系樹脂、エチレンビニルアルコール共重合樹脂（ＥＶＯＨ）、ポリエチレンテレフタレート（ＰＥＴ）樹脂、及びアルミ箔等の金属シート、アルミ蒸着ＰＥＴ等の金属や酸化物の蒸着シート、等を複数積層したものであっても良い。
【００２３】
なお、表面層２２、裏面層２４に用いる材料の厚みは特に限定しないが、厚みは主に１０〜１２０μｍであり、特に表面層２２は１０〜２０μｍ、裏面層２４は３０〜６０μｍのものを用いることが好ましい。
【００２４】
展開カートン２０は、図２に示すように、破線で示す縦折れ線Ｌ１１〜Ｌ１３を介して連設される第一の胴壁２６、第二の胴壁２７、第三の胴壁２８、及び第四の胴壁２９を有する。第四の胴壁２９には、縦折れ線Ｌ１４を介して糊付け片３０が連設され、第一の胴壁２６の端部に当該糊付け片３０がシールされる。そして、この各胴壁２６〜２９及び糊付け片３０が縦折れ線Ｌ１１〜Ｌ１４で折られ糊付け片３０が第一の胴壁２６の端部にシールされることで図１に示す容器１０の胴部２が形成される。
【００２５】
また、容器１０の胴部２を形成する胴壁２６〜２９の内、向かい合って配置される一方の第１及び第３の胴壁２６、２８の上部には、頂部横折線Ｌ２１、Ｌ２３を介して妻壁形成壁２６ａ、２８ａが連設されているとともに、更にこの一対の妻壁形成壁２６ａ、２８ａの上部にはシール横折線Ｌ３１、Ｌ３３を介して第１の上部シール片３１が其々連設されている。
【００２６】
また、妻壁形成壁２６ａ、２８ａには、その下端辺（頂部横折線Ｌ２１、Ｌ２３）両隅部のそれぞれと上端辺（シール横折線Ｌ３１、Ｌ３３）の中点とを結ぶように折込線Ｌ４１、Ｌ４２が設けられており、妻壁形成壁２６ａ、２８ａは、この折込線Ｌ４１、Ｌ４２が谷折りされることにより内側に折り畳まれる。
【００２７】
一方で、容器１０の胴部２を形成する胴壁２６〜２９の内、向かい合って配置される他方の第２及び第４の胴壁２７、２９の上部には、頂部横折線Ｌ２２、Ｌ２４を介して切妻屋根形成壁２７ａ、２９ａが連設されているとともに、更にこの切妻屋根形成壁２７ａ、２９ａの上部には、シール横折線Ｌ３２、Ｌ３４を介して第２の上部シール片３２が連設されている。
【００２８】
また、この切妻屋根形成壁２７ａ、２９ａには、下端辺（頂部横折線Ｌ２２、Ｌ２４）の一方の隅部から上端辺（シール横折線Ｌ３２、Ｌ３４）の中点方向（斜め上方）に折込線Ｌ４５が設けられ、開封時には、当該切妻屋根形成壁２７ａ、２９ａの一部が当該折込線Ｌ４５が谷折りされて折り開かれる。
【００２９】
当該容器１０は、当該頂部横折線Ｌ２１、Ｌ２３が山折りされるとともに当該折込線Ｌ４１、Ｌ４２が谷折りされて妻壁形成壁２６ａ、２８ａが容器内側へと折り畳まれ、第１の上部シール片３１が中央で折り畳まれてその外側左右が重なりあってシールされるとともに、一対の切妻屋根形成壁２７ａ、２９ａが頂部横折線Ｌ２２、Ｌ２４で山折りされ、第２の上部シール片３２の上側が互いにシールされることによって容器１０の頂部が密封され、且つ切妻屋根型に形成される。なお、当該シールはシート２１の表裏面が熱可塑性樹脂層の場合、熱溶着にて実施されるが、接着剤等の別の手段を用いて実施しても構わない。
【００３０】
また、一方の妻壁形成壁２８ａには、剥離片３５が形成される。剥離片３５は、図２及び図４（ａ）に示すように、矩形状に形成され、剥離片３５を剥離するときにユーザが掴む剥離開始部分を示す剥離開始辺３５ａと、その他の辺で構成される。剥離片３５は、その周縁に厚さ方向に所定の深さだけ切り込み３７が入れられて形成される。この切り込み３７の深さｔは、図３に示すように、表面層２２を超えて紙層２５に達する程度である。この切り込み３７は、剥離開始辺３５ａは実線で形成され、その他の辺はミシン目（破線又は点線）状に形成される。このようにして形成された剥離片３５は、ユーザによって、実線で形成された剥離開始部分が摘まれて、その他の辺を剥がすことにより紙層２５の一部の表面のみがきれいに剥ぎ取られるようにして剥離される。
【００３１】
また、本実施形態の剥離片３５は、図２に示すように、剥離開始辺３５ａが内側方向に配置され、妻壁形成壁２８ａの底面部７０に設けられる。このように本実施形態の剥離片３５は、剥離開始部分が、妻壁形成壁２８ａが折畳まれることによって形成される窪み部の内側に設けられているため、未開封の状態では、剥離開始部分を容易に摘むことができず、いたずらにより剥離片３５が剥離されることを防止することができる。また、充填ラインや輸送等において、剥離片３５が外部と接触することがないため、擦れや剥がれを防止することができる。
【００３２】
なお、本実施形態の剥離片３５は、妻壁形成壁２８ａの底面部７０に設けられているが、図４（ｂ）に示すように、妻壁形成壁２８ａの左上面部７１、若しくは図示しないが、妻壁形成壁２８ａの右上面部７２に設けられても本実施形態の剥離片３５と同様な効果を奏する。また、図４（ｃ）に示すように、底面部７０と左上面部７１との境界となる折込線Ｌ４１に剥離開始辺３５ａが沿うようにして、左上面部７１に剥離片３５を設けてもよく、更には、図４（ｄ）に示すように、折込線Ｌ４１に剥離開始辺３５ａが沿うようにして、底面部７０に剥離片３５を設けてもよい。
【００３３】
また、第一〜第四の胴壁２６〜２９の下部には、底部横折線Ｌ５１〜Ｌ５４を介して第１及び第２の下端壁３８、３９が其々連設されている。また、第２の下端壁３９には、その上端辺（底部横折線Ｌ５２、Ｌ５４）両隅部のそれぞれと下端辺の中点とを結ぶように折込線Ｌ６１、Ｌ６２が設けられており、第２の下端壁３９は、底部横折線Ｌ５２、Ｌ５４が山折りされこの折込線Ｌ６１、Ｌ６２が谷折りされることにより内側に折り畳まれる。また、第１の下端壁３８が底部横折線Ｌ５１、Ｌ５３で山折りされ、重ねあわされて所定の位置でシールされることによって容器１０の底部が密閉される。
【００３４】
―第２の実施の形態−
本実施形態は、特に、ユーザーによる剥離し易さを考慮して、剥離片３５を配置した点で第１の実施の形態と異なる。なお、容器１０の構成については、第１の実施の形態と同様であるので、その説明は省略するものとする。
【００３５】
本実施形態において、剥離片３５は、図５（ａ）〜図５（ｃ）に示すように、剥離開始辺３５ａが外側方向に配置されるように設けられる。具体的に剥離片３５は、図５（ａ）に示すように、妻壁形成壁２８ａの左上面部７１に設けられ、剥離開始辺３５ａが、左上面部７１と隣接する切妻屋根形成壁２７ａとの境界であって、開封時に山折される折込線Ｌ８１上に配置される。
【００３６】
また、剥離片３５は、上述した実施形態に限られず、図５（ｂ）に示すように、妻壁形成壁２８ａの左上面部７１に設けられ、剥離開始辺３５ａが、左上面部７１と隣接する切妻屋根形成壁２７ａとの境界（折込線Ｌ８１）を越えて切妻屋根形成壁２７ａ側に配置されても良い。
【００３７】
さらに、剥離片３５は、図５（ｃ）に示すように、妻壁形成壁２８ａの左上面部７１に設け、剥離開始部分を剥離片の二辺３５ａ、３５ａとし、当該二辺が左上面部７１と隣接する切妻屋根形成壁２７ａとの境界（折込線Ｌ８１）を越えて切妻屋根形成壁２７ａ側に配置されるようにしても良い。
【００３８】
このように本実施形態の剥離片３５は、剥離開始部分が、剥離片３５が配置されている面と隣接する面との境界（折込線Ｌ８１上）、又は隣接する面側の外部に露出した位置に配置されているため、剥離開始端が摘みやすく剥離片３５を容易に剥離可能である。また、未開封の状態では、妻壁形成壁２６ａが折込線Ｌ４１、Ｌ４２を介して内側に折り込まれているため、最後まで剥離片３５を剥がすことができず、いたずらにより剥離片３５が剥離されることを防止することができる。
【００３９】
―第３の実施の形態−
本実施形態は、特に、ユーザーによる剥離し易さと、いたずら防止とを考慮して、剥離片を配置した点で第１又は第２の実施の形態と異なる。なお、容器１０の構成については、第１の実施の形態と同様であるので、その説明は省略するものとする。
【００４０】
本実施形態において、剥離片３５は、剥離開始部分が折込線Ｌ４１又はＬ４２近傍に配置されるようにして妻壁形成壁２８ａに設けられる。具体的に剥離片３５は、図６（ａ）に示すように、剥離開始辺３５ａとして機能する半円部と、直線部を有するかまぼこ型の形状であって、妻壁形成壁２８ａの底面部７０に設けられ、剥離開始辺（半円部）３５ａの一部が、折込線Ｌ４１及びＬ４２上に接するように配置される。
【００４１】
また、剥離片３５は、上述した実施形態に限られず、図６（ｂ）に示すように、矩形状であって、妻壁形成壁２８ａの底面部７０に設けられ、剥離開始辺３５ａが、折込線Ｌ４１を超えて左上面部７１側に配置されても良く、図６（ｃ）に示すように、剥離片３５が、妻壁形成壁２８ａの左上面部７１に設けられ、剥離開始辺３５ａが、折込線Ｌ４１を超えて底面部７０側に配置されても良い。
【００４２】
さらに、剥離片３５は、図６（ｄ）に示すように、剥離開始辺３５ａが折込線Ｌ４１上に配置されて、妻壁形成壁２８ａの底面部７０に設けられても良く、図６（ｅ）に示すように、剥離開始辺３５ａが折込線Ｌ４１上に配置されて、妻壁形成壁２８ａの左上面部７１に設けられても良い。
【００４３】
さらにまた、剥離片３５は、図６（ｆ）に示すように、妻壁形成壁２８ａの底面部７０に設け、剥離開始部分を剥離片の二辺３５ａ、３５ａとし、当該二辺が底面部７０と隣接する左上面部７１との境界（折込線Ｌ４１）を越えて左上面部７１側に配置されるようにしても良く、図６（ｇ）に示すように、妻壁形成壁２８ａの左上面部７１に設け、剥離開始部分を剥離片の二辺３５ａ、３５ａとし、当該二辺が左上面部７１と隣接する底面部７０との境界（折込線Ｌ４１）を越えて底面部７０側に配置されるようにしても良い。なお、切り込み３７は、当該二辺のうち、折込線Ｌ４１を超えた部分のみを実線で形成することが好ましい。
【００４４】
また、さらに、剥離片３５は、図６（ｈ）は、妻壁形成壁２８ａの底面部７０に設けられ、剥離開始辺（半円部）３５ａの一部が、折込線Ｌ４１及びＬ４２上に接するように配置され、切り込み３７は、剥離開始辺のみを実線で形成するようにしても良い。
【００４５】
このように本実施形態の剥離片３５は、開封によって山折される折込線Ｌ４１（又はＬ４２）上、又はこの折込線Ｌ４１を超えるようにして剥離開始部分が配置されており、折込線Ｌ４５が設けられている切妻屋根形成壁２７ａ、２９ａの一端側をそれぞれ外側に開いた後、妻壁形成壁２８ａを外側に折り返して容器１０を開封させると、折込線Ｌ４１、Ｌ４２が山折線となり剥離開始端が摘みやすくなるため、剥離片３５を容易に剥離することができる。
【００４６】
上述したように、この容器１０は、妻壁形成壁２８ａに剥離片３５が設けられているため、容器の充填ライン及び店頭等への陳列時においては、外部から隠れるように配置されている。よって、充填ラインにおいて、外部との接触による剥がれや陳列時におけるいたずらが効果的に防止される。
【００４７】
また、図４（ｃ）、図４（ｄ）、及び図６（ｂ）〜図６（ｈ）に示すように、剥離片３５の剥離開始辺３５ａが折込線Ｌ４１近傍に設けられており、残りの辺がミシン目で形成されている場合、開封しない限りは剥離片３５を剥離できない（剥離開始辺３５ａを摘むことができない）ため、いたずら防止に対して非常に効果が高い。
【００４８】
また、図５（ｃ）、図６（ｆ）、及び図６（ｇ）に示すように、剥離片３５の剥離開始辺３５ａ、３５ａの角部が折込線Ｌ４１に重なるときは、角部を爪で引っ掛けて剥がすことができるため、最も剥離片３５を剥がし易くできる。
【００４９】
なお、本発明は、上述した実施の形態及び実施例に限定されることなく種々の形態にて実施可能である。例えば、本実施形態の容器１０に設けられる剥離片３５は、容器１０が開封される側の妻壁形成壁２８ａに設けられているが、反対側の妻壁形成壁２６ａに設けても構わない。また、剥離片３５は、前記矩形、かまぼこ形状に限定されるものではなく、円形等、様々な形態としても構わない。また、剥離開始辺３５ａ以外の一辺／二辺／三辺を実線としてもよい。また、第１の実施の形態および第３の実施の形態においては、剥離開始辺３５ａをどの辺としてもよい。
【符号の説明】
【００５０】
２…胴部
１０…容器
２６ａ、２８ａ…妻壁形成壁
２７ａ、２９ａ…切妻屋根形成壁
３５…剥離片
【図１】
0005824803.tif 000002
【図２】
0005824803.tif 000003
【図３】
0005824803.tif 000004
【図４】
0005824803.tif 000005
【図５】
0005824803.tif 000006
【図６】
0005824803.tif 000007